(57)【要約】【課題】セクタを作動させたときに外部に漏れる作動音を抑制できる構造を備えたセクタ駆動装置を提供する。【解決手段】筐体２と、前記筐体内で揺動して開口２ＨＬを開閉するセクタ１１〜１４とを備えたセクタ駆動装置１であって、筐体２の内面の少なくとも一部に消音効果を有する吸音部材２ＳＡが設けられている。セクタ駆動装置１は、筐体の内面に吸音部材を備えているので、内部で発生した作動音をこの吸音部材により低減できる。よって、外部へ漏れる作動音を抑制できる。筐体２は、櫛歯状に形成した骨格部と、前記櫛歯の歯と歯の隙間に前記吸音部材を設けた吸音部とが一体に成型されている構造を採用できる。【選択図】    図１
2007148175.tif 000002
【特許請求の範囲】
【請求項１】
筐体と、前記筐体内で作動して開口を開閉するセクタとを備えたセクタ駆動装置であって、
前記筐体の内面の少なくとも一部に消音効果を有する吸音部材が設けられている、ことを特徴とするセクタ駆動装置。
【請求項２】
前記筐体内には、前記セクタを駆動する駆動源が配置されている、ことを特徴とする請求項１に記載のセクタ駆動装置。
【請求項３】
前記筐体は、櫛歯状に形成した骨格部と、前記櫛歯の歯と歯の隙間に前記吸音部材を設けた吸音部とが一体に成型されている、ことを特徴とする請求項１または２に記載のセクタ駆動装置。
【請求項４】
前記吸音部材が、前記筐体の内面に貼着されている、ことを特徴とする請求項１または２に記載のセクタ駆動装置。
【請求項５】
前記吸音部材は、前記セクタが作動したときに、当接する可能性がある領域を含むように配置されている、ことを特徴とする請求項１から４のいずれかに記載のセクタ駆動装置。
【請求項６】
請求項１から５のいずれかに記載のセクタ駆動装置を含むことを特徴とする撮像装置。
【発明の詳細な説明】
【技術分野】
【０００１】
本発明は、セクタを揺動させて開口を開閉するセクタ駆動装置に関する。より詳細には、作動音が外部に漏れることを抑制する構造を備えたセクタ駆動装置に関する。
【背景技術】
【０００２】
セクタ駆動装置と称するものには、撮像装置内に配置されるシャッタ装置、絞り装置、さらに撮像装置の前側に配置されるレンズバリア装置などがある。例えば、特許文献１はレンズバリア装置を備えるレンズ鏡筒について開示する。レンズバリア装置は、外部から進入する砂塵等から撮像装置のレンズを保護するために前面側に一体的に組込まれている。レンズバリア装置はモータを駆動源として揺動自在に設けたセクタ（バリア羽根）を開閉して、不使用時に開口を閉じることでレンズ鏡筒内のレンズを保護する。
【０００３】
【特許文献１】特開平７−２０３６９号公報
【発明の開示】
【発明が解決しようとする課題】
【０００４】
上記のようにレンズバリア装置等のセクタ駆動装置は、モータを駆動源としてセクタを揺動させるので駆動した時にある程度の作動音が発生することが避けられない。特に、レンズバリア装置のように撮像装置の前面に配置される装置は、その作動音が耳障りな騒音となる場合がある。そして、このようなレンズバリア装置が取付けられた撮像装置は、それ自体の商品価値を下げてしまうことになる。そのためレンズバリア装置などのセクタ駆動装置については、作動音を外部に漏らさない構造を備えることが望まれているが、十分な消音機能を備えたセクタ駆動装置が未だに提供されていないのが実情である。
【０００５】
そこで、本発明の目的は、セクタを揺動させたときに外部に漏れる作動音を抑制できる構造を備えたセクタ駆動装置を提供することである。
【課題を解決するための手段】
【０００６】
上記目的は、筐体と、前記筐体内で作動して開口を開閉するセクタとを備えたセクタ駆動装置であって、前記筐体の内面の少なくとも一部に消音効果を有する吸音部材が設けられているセクタ駆動装置により達成できる。
【０００７】
本発明によると、筐体の内面に吸音部材を備えているので、内部で発生した作動音をこの吸音部材により低減できる。よって、外部へ漏れる作動音を抑制できるセクタ駆動装置を提供できる。
【０００８】
また、小型化を促進するためなどの理由で、前記筐体内に前記セクタを駆動する駆動源が配置されているセクタ駆動装置で作動音が大きくなる場合でも外部へ漏れる作動音を確実に抑制できる。
【０００９】
また、前記筐体は、櫛歯状に形成した骨格部と、前記櫛歯の歯と歯の隙間に前記吸音部材を設けた吸音部とが一体に成型されている構造を採用できる。このような構造であれば、簡易かつ低コストにて製造できる。また前記吸音部材が、前記筐体の内面に貼着されている構造を採用してもよい。
【００１０】
また、前記吸音部材は、前記セクタが作動したときに、当接する可能性がある領域を含むように配置されていることがより好ましい。このような構造としておくと、セクタが筐体に当接した場合の当接音も抑制できる。
【００１１】
上記で記載のセクタ駆動装置を含む撮像装置は、作動音を確実に抑制できるので、音の静かな信頼性の高い製品として提供できる。
【発明の効果】
【００１２】
以上説明したように、本発明によるセクタを揺動させたときに外部に漏れる作動音を抑制できる構造を備えたセクタ駆動装置を提供できる。
【発明を実施するための最良の形態】
【００１３】
以下、図面に基づいて本発明の実施例を説明する。ここでは、セクタ駆動装置の一形態としてレンズバリア装置について説明する。レンズバリア装置は撮像素子やフィルム等で撮影するときに開口を開いて撮影可能とし、非撮影時には開口を閉じて撮影レンズ等を保護する。図１はレンズバリア装置１が閉じの状態にあるときの様子を示した図、図２は図１のレンズバリア装置１の側部断面図、図３はレンズバリア装置１に含まれている揺動リング３を取出して示した図である。本レンズバリア装置１は、撮像装置となるカメラのレンズ鏡筒の前側に装着して使用される。なお、ここでは図１及び図２に示すように、Ｘ，Ｙ，Ｚの３軸を仮想で設定し、発明の理解を容易とするために用いる。図２におけるＺ方向での左側がレンズバリア装置１の前面側であり、右側が背面側となる。この背面側に図示のようにレンズ鏡筒４がセットされる。
【００１４】
図１から図３を参照して、レンズバリア装置１の構成を説明する。このレンズバリア装置１は揺動する４枚のセクタ（羽根）１１〜１４を含んでいる。より具体的には、レンズバリア装置は第１の内セクタ１１及び第２の内セクタ１２、並びに第１の外セクタ１３及び第２の外セクタ１４を含んでいる。これらのセクタ１１〜１４はセクタ基板２に揺動自在に装着されている。セクタ基板２の中央部には撮影用の開口２ＨＬが形成されている。また、図１で確認できるように、これらのセクタ１１〜１４はセクタ基板２の所定位置に立設した２つの支軸１５、１６を中心に揺動する。第１の内セクタ１１及び第１の外セクタ１３は支軸１５を中心に、また第２の内セクタ１２及び第２の外セクタ１４は支軸１６を中心に揺動するようになっている。そして、図２で確認できるように、第１の内セクタ１１と第２の内セクタ１２とは同じ面内に存在し、閉じたときには互いの端部が当接するように配設されている。第１の外セクタ１３及び第２の外セクタ１４は、僅かな間隔をおいて、内セクタ１１、１２の前面側に配置されている。これらのセクタ１１〜１４については後において詳述する。
【００１５】
セクタ１１〜１４の背面側（図２で右側）には揺動部材としての揺動リング３が配置されている。図３は、揺動リング３を確認し易いように取出して示している。この揺動リング３が周方向に回動することにより前記セクタ１１〜１４を揺動させる。揺動リング３は周部に歯列３７を備えている。この歯列３７はＸ方向に回転軸があるウォームギア９Ｗと噛合している。揺動リング３はウォームギア９Ｗから駆動力を受けて両方向に回転する。この揺動リング３は中央に撮影用の開口３ＨＬを有している。
【００１６】
揺動リング３には２個のコイルバネ２１、２２の一端を係止されるための係止部３１、３２が形成されている。そして、コイルバネ２１，２２の他端が位置する周辺部には、開口３３、３４が形成されている。そして、第１の内セクタ１１及び第２の内セクタ１２のそれぞれは、コイルバネ２１，２２の他端が係合される突起部１１ＰＲ，１２ＰＲを有している。これらの突起部１１ＰＲ，１２ＰＲは、開口３３、３４を介して揺動リング３の反対側に頭部を突出させている。この頭部にコイルバネ２１，２２の他端を係合させることで、第１の内セクタ１１及び第２の内セクタ１２のそれぞれにコイルバネ２１，２２の付勢力を加える構造となっている。なお、より具体的には図１で示すように、第１の内セクタ１１の突起部１１ＰＲがコイルバネ２１の他端に係合し、第２の内セクタ１２の突起部１２ＰＲがコイルバネ２２の他端に係合している。
【００１７】
上記揺動リング３の背面側（図２で右側）には、モータ基板５が配置されている。モータ基板５は撮影用の開口５ＨＬを有している。モータ基板５には駆動源としてのモータ６が固定されている。モータ６のロータ軸にはロータカナ（ギア）７が固定されている。ロータカナ７は、２段ギアに形成されている中間ギア８の一方のギア８ａと噛合している。中間ギア８の他方のギア８ｂは、ウォームギア９Ｗと一体に回転するギア９Ｃと噛合している。なお、モータ６のロータ軸はＺ軸と平行であり、ウォームギア９Ｗの回転軸はＸ軸と平行である。よって、中間ギア８の一方のギア８ｂ及びギア９Ｃとして、例えばかさ歯車、ねじ歯車等を用いることにより回転軸方向が変換されている。
【００１８】
また、本レンズバリア装置１は、上記のように揺動リング３の背部にモータ基板５が配置され、この基板５にセクタ１１〜１４を駆動するモータ６が配置されている。
【００１９】
また、図２で確認できるように、セクタ基板２の周部が円筒状に加工されて、本装置１の筐体（ハウジング）として機能している。このハウジング内にはセクタ１１〜１４及び揺動リング３が配置されるだけでなく、モータ基板５に固定されたモータ６も一体に収納されている。よって、このようにユニット化されているので本装置１は独立した小型の光学部品として扱える。例えば本装置１は鏡筒４に対して螺合するように形成して着脱自在とすることができる。
【００２０】
そして、上記のように本レンズバリア装置１では、モータ６からの駆動力がウォームギア９Ｗを介して揺動リング３へ伝達される構成である。このような構成では、ウォームギア９Ｗの駆動力（回転力）は歯列３７により揺動リング３へ伝達される。しかし、これとは逆に揺動リング３から生じる動きに対しては、ウォームギア９Ｗがこれを規制する。すなわち、モータ６と揺動リング３との間に、ウォームギア９Ｗが配置されていることで駆動力が揺動リング３へ不可逆的に伝達されるように構成されている。
【００２１】
図４は、レンズバリア装置１が開きの状態にあるときの様子を示した図である。この図４の開きの状態は、図１の閉じ状態からＸ方向で見てウォームギア９Ｗを時計方向に所定数回転させたときに形成されるこのとき揺動リング３が反時計方向ＣＣＷへ所定量移動する。このような揺動リング３の動作に基づいて、各セクタ１１〜１４が開口部から退避して開きの状態が形成される。開きの状態が形成された後は、閉じの場合と同様に揺動リング３はウォームギア９Ｗによりその動きが規制されるよって、セクタ１１〜１４は安定に開きの状態を保持する。
【００２２】
なお、本レンズバリア装置１は、第１の内セクタ１１及び第２の内セクタ１２が上記構成による駆動力を受けて揺動され、これらの内セクタ１１，１２に従動して第１の外セクタ１３及び第２の外セクタ１４が揺動される。従動させる構造については後述する。
【００２３】
次に、本実施例のレンズバリア装置１が備えている外部に作動音を漏らさないための吸音構造について説明する。なお、本願発明者は、本発明を成す以前に、レンズバリア装置の筐体に複数の開孔（貫通口）を設けると消音効果があることを確認した。しかし、レンズバリア装置はカメラのレンズを保護するものであり、筐体に孔を形成すると内部に砂塵が侵入してレンズバリア装置の効果が減衰してしまう。そこで、レンズバリア装置本来の機能を維持しつつ作動音を外部に漏らさない構造を検討して、以下に示す構造を特定したものである。
【００２４】
再度、図１を参照すると、筐体としても機能している円筒状の基板２は、骨格部２ＢＮが樹脂材により櫛歯状に形成され、その櫛歯の隙間を埋めるように吸音部２ＳＡが配置されている。さらに、図２を参照して詳細に説明すると、基板２は前面側の円形部２ＴＰとその外周縁に立設した側壁部２ＳＤとを含んでいる。側壁部２ＳＤがカメラ側の鏡筒４に接続されている。すなわち、側壁部２ＳＤは管構造となる。この側壁部２ＳＤが骨格部２ＢＮと吸音部２ＳＡとを交互に配置した構造となっている。
【００２５】
上記のように筐体（本実施例では基板２）の内面に、吸音部２ＳＡが設けてあるので内部で発生した作動音を効率良く消音できる。よって、モータを筐体内に配置した構造であっても作動音が外部に漏れるのを抑制できる。筐体の骨格部２ＢＮを形成するための部材としては、例えばＰＣ（ポリカーボネイト）、ＡＢＳ（アクリロニトリルブタジエンスチレン）などの樹脂材を用いることができる。また、上記吸音部２ＳＡを形成するための部材としては、シリコンゴムなどを好適に使用できる。本実施例の筐体は、予め準備した金型にシリコンゴムなどの吸音部材を間隔をもって配置しておき、ここにＰＣ、ＡＢＳなどの樹脂材を投入してインサート成型することで一体的に製造できる。よって、従来の設備をそのまま流用できるので低コストでの実施が可能である。
【００２６】
なお、筐体全体をシリコンゴム等の部材で製造すれば、より高い消音効果が期待できるが、外力に対する剛性が低くなってしまう。そこで、本実施例のように樹脂材で櫛歯状の骨格部を形成し、その間に吸音部材を配置することで所定の剛性を確保しつつ、消音構造を実現するのが好ましい。
【００２７】
さらに、消音効果のある筐体の変形例として、上記のように骨格部を櫛歯形状に加工せず、通常の管形状とし内面に吸音部材を貼着した構造を採用することも可能である。吸音部材を筐体の内面全体に貼着してもよいし、上記のように間隔をもって吸音部材を貼着してもよい。ここで、吸音部材として例えばシリコンゴム、ポリウレタン等の薄いシートを筐体の内面に貼り付けてもよいし、シリコン系接着剤を筐体の内面に塗布し、これを硬化させて吸音部材とするようにしてもよい。
【００２８】
図５は、レンズバリア装置１に含むセクタ１１〜１４の開閉動作の様子が確認できるように、取り出して示した図である。図５（Ａ）は図１に対応する閉じの状態のとき、同（Ｂ）は図４に対応する開き状態のときの様子を示しているなお、図５では内セクタ１１、１２を実線で示し、外セクタ１３、１４を点線で示している。内セクタ１１及び１２がモータからの駆動力を受けて駆動される。これに対して、外セクタ１３及び１４のそれぞれには、内セクタ１１、１２が当接する突起部（１３ＭＴ−１，１３ＭＴ−２及び１４ＭＴ−１，１４ＭＴ−２）が形成されている。よって、内セクタ１１、１２が揺動したときに、外セクタ１３，１４を従動させることができる。
【００２９】
ところで、図５（Ｂ）で示す開きの状態が形成されたときに、経時変化、部品誤差などにより外セクタ１３，１４が筐体の内面に衝突（当接）してしまう場合がある。この場合には、通常の作動音だけでなくセクタの当接音がさらに発生することになる。本実施例のレンズバリア装置１は、この点にも対処している構造となっている。この点を再度、図１を参照して説明する。
【００３０】
前述したように吸音部２ＳＡは、シリコンゴムなどの弾性体で形成できる。よって、外セクタ１３，１４が筐体に当接する領域を少なくとも含むように吸音部２ＳＡを配置してある。このように配置しておけば、仮に外セクタ１３，１４が筐体の内面に当接しても、当接するのが弾性材で形成した吸音部２ＳＡとなるので当接音の発生を抑制できる。このように、本実施例のセクタ駆動装置１は当接音の発生も抑制できるより好ましい構造となる。なお、図３で示している駆動リング３には外周に基板２の内面に当接するガイド突起３８が形成されている。この突起３８は吸音部２ＳＡを避けるように配置することで、駆動リング３をスムーズに駆動できる。
【００３１】
以上説明したように、本実施例のレンズバリア装置１は筐体の内面に消音部材が配置されているので作動音に基づく騒音が外部に漏れるのを抑制できる。よって、音漏れの少ない静かなレンズバリア装置として提供できる。したがって、本実施例のレンズバリア装置１を備える撮像装置は作動音が静かな製品となるので商品価値が向上する。
【００３２】
以上、本発明の好ましい一実施形態について詳述したが、本発明は係る特定の実施形態に限定されるものではなく、特許請求の範囲に記載された本発明の要旨の範囲内において、種々の変形・変更が可能である。上記実施例では、セクタ駆動装置の一例としてレンズバリア装置について説明したが、シャッタ装置など本発明を適用することで作動音を同様に軽減できることは言うまでもない。また、上記実施例のセクタは、回転軸を中心として揺動するタイプであったが、直線的に作動するタイプや観音開きのタイプであってもよい。
【図面の簡単な説明】
【００３３】
【図１】レンズバリア装置が閉じの状態にあるときの様子を示した図である。
【図２】図１のレンズバリア装置の側部断面を示した図である。
【図３】レンズバリア装置に含まれている揺動リングを取出して示した図である。
【図４】レンズバリア装置が開きの状態にあるときの様子を示した図である。
【図５】レンズバリア装置に含むセクタの開閉動作の様子が確認できるように、取出して示した図である。
【符号の説明】
【００３４】
１                              レンズバリア装置
２                              セクタ基板（筐体）
２ＢＮ                          骨格部
２ＳＡ                          吸音部
６                              モータ（駆動源）
１１、１２                      内セクタ（セクタ）
１３、１４                      外セクタ（セクタ）
【図１】
2007148175.tif 000003
【図２】
2007148175.tif 000004
【図３】
2007148175.tif 000005
【図４】
2007148175.tif 000006
【図５】
2007148175.tif 000007